(57)【要約】【課題】軸筒部材に形成する螺子山の成形精度を気にすることなく組立てを行うことが可能な筆記具の軸筒部材連結構造を得る。【解決手段】調整筒１０に設けた係止部１０ａを連結筒９に設けた係止受部９ｂに回動可能に係止させて一体とし、調整筒１０に形成した雄螺子部１０ｃを第一軸筒部材２の雌螺子部２ｂに螺入させ、調整筒１０の係止部１０ａにて連結筒９の係止受部９ｂを前方へ牽引することにより、第一軸筒部材２の後部に連結筒９または第二軸筒部材８を圧接させて固定し、第一軸筒部材２と第二軸筒部材８との軸心回転方向に対する互いの位置合わせを行う。【選択図】図６
2011255589.tif 000002
【特許請求の範囲】
【請求項１】
軸筒の軸心回転方向に対する互いの位置合わせを要して隣接させる第一軸筒部材と第二軸部筒部材とを有した筆記具の軸筒連結構造であって、前記第一軸筒部材および前記第二軸筒部材の内側に雌螺子部を設け、前記第一軸筒部材と前記第二軸筒部材とを連結する連結筒の後方部に設けた雄螺子部を前記第二軸筒部材の雌螺子部へ着脱可能に螺着し、前記連結筒の前方部に係止する調整筒を、該調整筒に設けた係止部を前記連結筒に設けた係止受部に回動可能に係止させて一体とし、前記調整筒に形成した雄螺子部を前記第一軸筒部材の雌螺子部に螺入させ、且つ前記調整筒の係止部にて前記連結筒の係止受部を前方へ牽引することにより、前記第一軸筒部材の後部に前記連結筒または前記第二軸筒部材を圧接させて固定し、前記第一軸筒部材と前記第二軸筒部材との軸心回転方向に対する互いの位置合わせを行うことを特徴とする筆記具の軸筒連結構造。
【発明の詳細な説明】
【技術分野】
【０００１】
本発明は、筆記具の軸筒部材連結構造に関する。
【背景技術】
【０００２】
従来、特開２００９−３４８２０号公報に開示されているように、軸筒の外形形状が非円形形状のものや円形形状であっても外側面に模様や絵柄を施した筆記具では、複数の連続した軸筒部材同士を軸心回転方向に対して互いに位置合わせさせる構造が課題となる。特に、軸筒の内部にインキタンクやボールペンレフィルを備えた筆記具においては、前後方向に隣り合う軸筒部材同士を着脱できるように螺合構造が採用されるため、軸筒部材同士を連結させた際に、螺子山の成形精度によっては位置ずれが発生する可能性があった。さらに、軸筒部材同士の連結部分である螺子部に高級感を出すために金属の別部材を用いた構造のものでは、螺子山の成形精度により位置ずれが生じやすいといった問題が多かった。
【先行技術文献】
【特許文献】
【０００３】
【特許文献１】特開２００９−３４８２０号公報
【発明の概要】
【発明が解決しようとする課題】
【０００４】
本発明は、軸筒部材に形成する螺子山の成形精度を気にすることなく組立てを行うことが可能な、筆記具の軸筒部材連結構造を得ることを目的とした。
【課題を解決するための手段】
【０００５】
本発明は、
「軸筒の軸心回転方向に対する互いの位置合わせを要して隣接させる第一軸筒部材と第二軸部筒部材とを有した筆記具の軸筒連結構造であって、前記第一軸筒部材および前記第二軸筒部材の内側に雌螺子部を設け、前記第一軸筒部材と前記第二軸筒部材とを連結する連結筒の後方部に設けた雄螺子部を前記第二軸筒部材の雌螺子部へ着脱可能に螺着し、前記連結筒の前方部に係止する調整筒を、該調整筒に設けた係止部を前記連結筒に設けた係止受部に回動可能に係止させて一体とし、前記調整筒に形成した雄螺子部を前記第一軸筒部材の雌螺子部に螺入させ、且つ前記調整筒の係止部にて前記連結筒の係止受部を前方へ牽引することにより、前記第一軸筒部材の後部に前記連結筒または前記第二軸筒部材を圧接させて固定し、前記第一軸筒部材と前記第二軸筒部材との軸心回転方向に対する互いの位置合わせを行うことを特徴とする筆記具の軸筒連結構造。」である。
【発明の効果】
【０００６】
本発明は前記したような構造なので、軸筒を構成する第一軸筒部材と第二軸筒部材との軸心回転方向の位置合わせが、螺子山の成形精度に左右されることなく行うことができる構造となった。
【図面の簡単な説明】
【０００７】
【図１】図１は本実施例の万年筆の斜視図である。
【図２】図２は断面図である。
【図３】図３は分解図である。
【図４】図４は組立時の部材を示す図である。
【図５】図５は図４の部材を組立てた状態を示す図である。
【図６】図６は組立時の首部を示す図である。
【図７】図７は図６の組立てを詳細に示した図である。
【発明を実施するための最良の形態】
【０００８】
軸筒を構成する第一軸筒部材と第二軸筒部材との軸心回転方向の位置合わせが、螺子山の成形精度に左右されることなく、組立時の調整で行えるものとなり、軸筒の外形形状が非円形形状のものや外側面に模様を施した筆記具においても、隣り合う軸筒部材の形状や模様を一致させる組立てを容易に行うことができる構造を実現した。
【実施例】
【０００９】
本実施例を図面を用いて説明する。本実施例では万年筆を例にあげて説明を行うが、本発明構造は万年筆に限定されるものではない。また本実施例では、第一軸筒部材を首部とし、第二軸筒部材は胴部の内部に配する内筒としてあるが、部位や形状が限定されるものではなく、発明の範囲内で実施することができるものである。尚、本実施例の説明においては、ペン先がある側を前方と表現し反対側を後方と表現する。
【００１０】
図１に示すように、本実施例の万年筆１は、外形形状が四角形形状である首部材２の後方に胴部材３を連結した軸筒４の前方に、ペン先５とペン芯６とを備えている。図２および図３に示すように、ペン芯６は、首部材２（第一軸筒部材）に挿着し、首部材２の前方開口部２ａから露出したペン芯６の上方にペン先５を被着し、ペン芯６の後方にインキタンク７を配置させ、インキタンク７内のインキ（図示せず）をペン芯６からペン先５へ供給させる構造としてある。また、詳細は後述するが、胴部材３の内部には、内筒８（第二軸筒部材）を配し、内筒８に螺合させた連結筒９と首部材２に螺合させた調整筒１０とで首部材２と内筒８とを連結する構造である。尚、本実施例では、ペン芯６の後方部にガスケット１１を嵌めると共に突刺管１２を嵌着し、突刺管１２にインキタンク７を嵌着する構造とした。また、四角形形状の胴部材３は、外面が同じく四角形形状である内筒８に対して接着させる構造である。
【００１１】
次に、図３〜図５を用いて、本実施例の詳細について説明を行う。図４に斜視図で示すように、内筒８の内側には雌螺子部８ａを形成してあり、連結筒９の後方部の外側に形成した雄螺子部９ａと螺合させ、連結筒９の前方部の内側に係止受部として形成した内向きの鍔部９ｂに、調整筒１０の下方部の外側に係止部として形成した外向きの鍔部１０ａを係止させる構造とした。尚、本実施例では、調整筒１０の下方部にマイナスドライバー（図示せず）の先端が引っ掛かるスリット１０ｂを形成してあり、調整筒１０の鍔部１０ａを連結筒９の鍔部９ｂに係止させる際に、調整筒１０の後方部が撓むことで係止しやすい構造としてある。また、調整筒１０の前方部に形成した雄螺子部１０ｃは、図３に示す首部材２の内側に形成した雌螺子部２ｂに螺合させ、連結筒９の中間部の外側に形成したフランジ部９ｃが、図３に示す首部材２の後端部に形成したフランジ部２ｃに当接する構造とした。尚、内筒８と連結筒９と調整筒１０とを組立てた状態が図５であり、この状態で調整筒１０は、連結筒９に対して回動自在になっている。
【００１２】
図６は、図５の状態に組立てた調整筒１０の雄螺子部１０ｃを、首部材２の雌螺子部２ｂに螺合させる状態を示す図であり、図７に示すように本実施例では、マイナスドライバー１００の先端１００ａを調整筒１０のスリット１０ｂに引っ掛けて調整筒１０を回転させ、首部材２の平面Ａと内筒８の平面Ｂとを一致させた状態で、調整筒１０の鍔部１０ａで連結筒９の鍔部９ｂを引っ張りあげることにより、連結筒９のフランジ部９ｃに、首部材２のフランジ部２ｃを圧接させて固定できる構造とした。図６の作業にて首部材２の平面Ａと内筒８の平面Ｂとを一致させて固定し、図２に示したように内筒８に胴部材３を嵌め込み、図１に示したように、首部材２の平面Ａと内筒８の平面Ｂとを一致させた状態で組立てることができた。
【産業上の利用可能性】
【００１３】
本発明の構造は、万年筆以外のマーキングペンやボールペンなどの筆記具に採用することも可能である。
【符号の説明】
【００１４】
１…万年筆、
２…首部、２ａ…前方開口部、２ｂ…雌螺子部、２ｃ…フランジ部、
３…胴部材、４…軸筒、５…ペン先、６…ペン芯、７…インキタンク、
８…内筒、８ａ…雌螺子部、
９…連結筒、９ａ…雄螺子部、９ｂ…鍔部、９ｃ…フランジ部、
１０…調整筒、１０ａ…鍔部、１０ｂ…スリット、１０ｃ…雄螺子部、
１１…ガスケット、１２…突刺管。
【図１】
2011255589.tif 000003
【図２】
2011255589.tif 000004
【図３】
2011255589.tif 000005
【図４】
2011255589.tif 000006
【図５】
2011255589.tif 000007
【図６】
2011255589.tif 000008
【図７】
2011255589.tif 000009